(57)【要約】【課題】ポールを備え、当該ポールに直接尿がかからず、ポールの直立姿勢を安定的に保つことができる犬の小便用器具を提供すること。【解決手段】周壁部へ孔又はスリット１２を有する筒状本体１及び当該筒状本体１を直立姿勢を保つためのベース板１０とを具備するペットシート保持ポールｐと、前記筒状本体１が貫通した状態で前記ベース板１０を覆うようにセットされる第１の第１のペットシート２と、前記筒状本体１の外周面へ取り付けられる第２のペットシート３とを具備することを最も主要な特徴とする。【選択図】        図３
2007312713.tif 000002
【特許請求の範囲】
【請求項１】
周壁部へ孔又はスリット（１２）を有する筒状本体（１）と、当該筒状本体（１）を直立姿勢に保つためのベース板（１０）とを備えたことを特徴とする、犬の小便用ペットシート保持ポール。
【請求項２】
前記ベース板（１０）はほぼ中央部に直立ガイド（１０ａ）を有し、前記筒状本体（１）の下部は前記直立ガイド（１０ａ）へ装着又は挿入される、請求項１に記載の犬の小便用ペットシート保持ポール。
【請求項３】
前記筒状本体（１）は二つ割状の半体（１ａ，１ｂ）とからなり、当該半体（１ａ，１ｂ）は締付け用のテープ又は紐ないしバンド等の締付け手段（１３）により筒状を保つように構成されている、請求項１又は２に記載の犬の小便用ペットシート保持ポール。
【請求項４】
前記筒状本体（１）は上端部にキャップ（１１）を有する、請求項１〜３のいずれかに記載の犬の小便用ペットシート保持ポール。
【請求項５】
板（４０）の所定部位へ所定の角度間隔で中心部より放射状にスリット（４１）が形成され、各スリット（４１）の外周端を結ぶ環状の線（４２）が形成する平面形状及びサイズが前記筒状本体（１）の端面の形状及びサイズとほぼ対応する状態のカッター定規（４）が付属している、請求項１〜４のいずれかに記載の犬の小便用ペットシート保持ポール。
【請求項６】
請求項１〜４のいずれかに記載の犬の小便用ペットシート保持ポール（ｐ）と、前記筒状本体（１）が貫通した状態で前記ベース板（１０）を覆うようにセットされる第１のペットシート（２）と、前記筒状本体（１）へ当該筒状本体（１）の外周面を覆うように取り付けられる第２のペットシート（３）とを備えたことを特徴とする、犬の小便用器具。
【請求項７】
前記第１のペットシート２には前記筒状本体（１）を通すための孔（２０）が形成されており、当該孔（２０）は所定の角度間隔で中心部より放射状に形成された切断線（２０ａ）によって形成され、前記第２のペットシート（３）には一辺に沿って剥離シート（３１）でカバーされた所定幅の粘着層（３０）が形成されている、請求項６に記載の犬の小便用器具。
【発明の詳細な説明】
【技術分野】
【０００１】
本発明は、特定の場所で小便をするように雄犬に習慣付けることが非常に容易な犬の小便用ペットシート保持ポール、及びそれを使用した犬の小便用器具に関するものである。
【背景技術】
【０００２】
犬が自分の尿の匂いがする場所で小便をする習性があること、及び雄犬は片足を上げて小便をするので、例えば柱（ポール）等へ尿の匂いを付けておけばそのポールに向けて小便をするようになることは、よく知られている。
【０００３】
前記のような犬の習性を利用したものとして、部屋の壁等に沿って二つの扇形枠を直角に交差させた状態で垂直に立て、各扇形枠の麓部へ扇状のペットシート（ペットに用便をさせるときに使用されるシートであって、少なくとも吸水性及び吸臭性を有する。）を複数枚重ねて設置し、当該ペットシートへ孔を形成して当該孔へ通した状態でペットシートの保持ポールを立てた小便用器具が提案されている（後記特許文献１）。
また前記ポールの下端部には、犬が小便をしたときにこれを分散させる三脚を設けている。
【０００４】
前記小便用器具によれば、飼い犬に一度前記保持ポールに向けて小便をさせると以後は誘導しなくても当該ポールに向けて小便をするように習慣付けられる。
また、小便はポールを通じて前記孔の位置へ流れ落ちるから、用便後最上位のペットシートを除去・廃棄しても、前の尿の匂いが直下の新たなペットシートの孔の位置及びポールに残る。したがって、犬は必ず前記ポールの位置で当該ポールに向かって小便をするようになる。
しかしながら、前記小便用器具は、犬の小便が付着したままのポールが残る（ポールを洗浄すると尿の匂いが消滅して意味がなくなる。）ので不潔感があった。また、ポールは下端の三脚では安定した状態で直立姿勢を保つのが困難である。
【特許文献１】実開平０７−１７０４７号公報
【発明の開示】
【発明が解決しようとする課題】
【０００５】
本発明の課題は、犬の小便用ペットシート保持ポールにおける直立姿勢の安定性確保と、犬の小便用器具における不潔感の除去にある。
したがって、本発明の目的は、直立姿勢を安定的に保つことができる犬の小便用ペットシート保持ポールを提供することにある。
本発明の他の目的は、保持ポールに直接犬の尿がかからず不潔感のない犬の小便用器具を提供することにある。
【課題を解決するための手段】
【０００６】
本発明に係る犬の小便用ペットシート保持ポールは、前記課題を解決するため、周壁部へ孔又はスリット１２を有する筒状本体１と、当該筒状本体１を直立姿勢に保つためのベース板１０とを備えたことを最も主要な特徴としている。
【０００７】
本発明に係る犬の小便用器具は、前記課題を解決するため、前記本発明に係る犬の小便用ペットシート保持ポールｐと、前記筒状本体１が貫通した状態で前記ベース板１０を覆うようにセットされる第１のペットシート２と、前記筒状本体１へ当該筒状本体１の外周面を覆うように取り付けられる第２のペットシート３とを備えたことを最も主要な特徴としている。
【発明の効果】
【０００８】
本発明に係る犬の小便用ペットシート保持ポールによれば、前記ベース板１０によってその直立姿勢を安定的に保つことができる。
また、当該ポールの筒状本体１は孔又はスリット１２を有するので、筒状本体１内にその犬の尿を吸臭している使用済みのペットシートを筒状本体１内に投入して使用すれば、その尿の匂いが筒状本体１外に漏出する。したがって、犬を当該ポールの設置位置へ誘導して小便をさせることができる。
【０００９】
本発明に係る犬の小便用器具によれば、前記ポール１の外周面は第２のペットシート３で覆われているので犬の小便が直接かかることはない。したがって、不潔感がなくなる。
【発明を実施するための最良の形態】
【００１０】
第１実施形態
図１は本発明に小便用ペットシート保持ポールの第１実施形態の分解斜視図、図２の（ａ）図は第１のペットシートの斜視図、図２の（ｂ）図は第２のペットシートの斜視図、図３は図１の保持ポールを用いた小便用器具の部分破断縦断面図である。
【００１１】
１は周壁部へ孔又はスリット１２を有する筒状本体であり、先端部がキャップ１１で塞がれるように構成されている。この筒状本体１は、当該筒状本体１を直立姿勢に保つベース板１０を具備してペットシート保持ポールｐを構成している。
ポールｐの材質は特に問わないが、この実施形態では筒状本体１，ベース板１０及びキャップ１１ともに合成樹脂の成形品であり、ベース板１０は携帯に便利なように筒状本体１とは独立していてほぼ中央部にソケット状の直立ガイド１０ａを一体に有している。
なお、ポールｐの筒状本体１とベース板１０とは一体に成形されていても実施することができる。
【００１２】
筒状本体１は縦に二つ割状の半体１ａ，１ｂにより構成され、これらの半体１ａ，１ｂは例えばゴム製の二つの締付けバンド（又は締付けテープないし紐）その他の締付け手段１３，１３により周方向から締め付けて筒状に一体化されるように構成されている。
１４は各半体１ａ，１ｂの外周面に形成された案内溝であり、各案内溝１４にはそれぞれ締付け手段１３が案内される。
キャップ１１は筒状本体１よりもやや大径の皿ないしトレイ状に成形され、下部中央に突出して筒状本体１の上端部へ着脱可能に取り付けるための嵌合ガイド１１ａを一体に有している。
【００１３】
小便用器具は、前記保持ポールｐのほかに、図２及び図３で示すように当該ポールｐの筒状本体１が通る孔２０を有する第１のペットシート２と、筒状本体１へその外周面を覆うように取り付けられる第２のペットシート３とを備えている。
第１のペットシート２の孔２０は、当該ペットシート２のほぼ中央部へ形成され、図２で示すように、所定の角度間隔で放射状に形成された切断線２０ａによって構成されており、例えば保持ポールｐを床面上にセットした後に、円筒状に組み立てられた筒状本体１の上端を前記切断線２０ａの部分と一致させてシート２を下げると孔２０が開いて筒状本体１が通されるように構成されている。
【００１４】
前記第２のペットシート３は、筒状本体１の周長よりもやや大きい幅で筒状本体１の長さとほぼ同じ長さを有し、長さ方向の一辺に沿って剥離シート３１でカバーされた所定幅の粘着層３０が形成されており、ペットシート３を筒状本体１の外面に一回巻き、剥離シート３１を剥離して粘着層３０の面を他方の辺に沿って貼り付けることにより筒状本体１へ取り付けられるように構成されている。
【００１５】
以下前記実施形態の小便用器具の使用要領を説明する。
器具を設置するには、締付けバンド等の締付け手段１３，１３により半体１ａ，１ｂを一体的に組み合わせて円筒状の筒状本体１を構成し、床面上の所望位置に置いたベース板１０の直立ガイド１０ａへ筒状本体１を直立状にセットし、当該筒状本体１の上端を前記切断線２０ａの部分と一致させて第１のシート２を下げることにより孔２０へ筒状本体１を通す。
このとき、第１のペットシート２の孔２０を形成する各切断線２０ａで分割されている各紙片２０ｂ（図３）は、筒状本体１の下端部外周面に沿って立ち上がる状態になる。
【００１６】
次いで、筒状本体１の外周面へ第２のペットシート３を巻いて取り付け、筒状本体１内へ飼い犬の尿の匂いが付いた使用済みペットシート（直前に使用された第１のペットシート２又は／及び第２のペットシート３）２ａを丸めて投入し、上端をキャップ１１で塞ぐ（図３）。
第２のペットシート３を筒状本体１の外周面に巻いて取り付けるとき、筒状本体１の下端部外周面に沿って立ち上がっている孔２０の各紙片２０ｂを第２のペットシート３で覆い、筒状本体１に向けられた犬の放尿がベース板１０の上面へ流れ込まないようにするのが好ましい。
【００１７】
図３に示す設置状態において、筒状本体１の内部には使用済みペットシート２ａが投入されており、この使用済みペットシート２ａに付着している犬の尿の匂いは、筒状本体１の外周壁に形成された孔ないしスリット１２を通じて外部に漏出するので、飼い犬は前記習性により必ずポールｐの筒状本体１へ向けて小便をすることになる。
図３のような設置状態において、使用済みペットシート２ａの匂いは当該シート２ａへ吸収されていることと、筒状本体１の外周面が第３のペットシート３で覆われていることとにより、人間の臭覚を刺激することはない（匂わない）が発達した犬の臭覚は十分に刺激する。
【００１８】
前記実施形態の犬の小便用器具によれば、保持ポールｐを構成する筒状本体１の外周面には第２のペットシート３が取り付けられるので犬の小便が直接かかることはない。したがって、ポールｐの不潔感はない。
ポールｐの筒状本体１はベース板１０を有するので、直立姿勢を案的的に保つことができる。
前記のように、飼い犬の尿の匂いが付いた使用済みペットシート２ａを筒状本体１内へ投入することにより、その匂いにより飼い犬をポールｐの設置位置へ誘って小便をさせることができる。
ベース板１０，筒状本体１及びキャップ１１は別々に成形されているので、狭い空間へ収納するのに便利であるとともに携帯（持ち運び）にも便利である。また、筒状本体１は二つ割状の半体１ａ，１ｂにより構成され、半体１ａ，１ｂは締付け手段１３により筒状に一体化されるように構成されているので、収納および携帯に一層便利である。
また、図３の設置状態においてはキャップ１１は図示しない花その他の鉢を受ける鉢受けとして使用することができる。
【００１９】
第２実施形態
図４はの第２実施形態のペットシート保持ポールを示す部分分解斜視図であり、筒状本体１を構成する半割状の半体１ａ，１ｂの組立時における当接面の一方には凹部１５が形成され、他方には前記凹部１５と適合する凸部１６が形成されている。
これらの凹部１５及び凸部１６は、図のように長さ方向に沿って細長くなっているのが好ましい。
このように構成すると、半体１ａ，１ｂを組み合わせるときに凹部１５と凸部１６がガイドの機能を果すとともに、組み合わせ時に半体１ａ，１ｂのずれを防止することができる。
また、凹部１５の深さよりも凸部１６の高さを所定量大きくしておくと、半体１ａ，１ｂを当接して組み合わせたときに、凹凸部１５，１６の上下の部分に隙間が形成され孔ないしスリット１２と同じ機能を果たすことができる。
【００２０】
前記各実施形態において、ペットシート２，３は吸水性と消臭性とを備えているものであれば実施することができるが、水分を通さないポリエチレンシートにより裏面全体と矩形の各辺縁近傍をカバーし、水分や匂いを素早く吸収して水分をゼリー状に固めるポリマーシートを前記ポリエチレンシートへ包み込み、表面を通水性のよい不織布でカバーしたものであるのが好ましい。
また、消臭炭シートを内部に包み込んだものも好適に使用される。
【００２１】
カッター定規の実施形態
前記各実施形態の小便用ペットシート保持ポールは、図２（ａ），（ｂ）で示されているように、孔２０が形成された第１のペットシート２や粘着層３０が形成された第２のペットシート３をセットにして販売し、かつ使用するのが便利であるが、これらのペットシート２又は３は市販のもの（形状は例えば６００×４５０ｍｍの長方形）を購入して使用することができる。
ペットシート２又は３に市販のものを購入して使用する場合は、第１のペットシート２へ孔２０を形成するため、例えば図５で示すようなカッター定規４をペットシート保持ポールｐへ付属させる（請求項５）のが使用上便利である。
【００２２】
カッター定規４は任意平面形状の板４０（合成樹脂，厚紙等を材質とする）によって構成されており、この板４０の所定位置には一定の角度間隔で中心部より放射状に多数のスリット４１が形成され、各スリット４１の外周端を結ぶ環状の線４２が形成する平面形状及び平面サイズは、使用される筒状本体１の端面の形状及びサイズとほぼ対応している。
【００２３】
このカッター定規４を折畳み状態から展開された市販のペットシート（図示しない）の上面ほぼ中央に置き、当該ペットシートの前記カッター定規４の反対面側（裏面側）に合成樹脂，厚紙又は板からなる下敷き（図示しない）を敷く。
そして、各スリット４１を図示しないカッターナイフのガイドとして当該カッターナイフによりペットシートへ図２の（ａ）図で示すような切断線２０ａを形成することにより孔２０を形成し、当該ペットシートを前記（ａ）図で示すような第２のペットシート２とする。当該ペットシートの取付け要領は図３で説明した場合と同じである。
第３のペットシート３として市販のものを使用するときは、図示しない粘着（接着）テープや輪ゴム等を用いて、第３のペットシートを筒状本体１へ図３で示したような状態に取り付ければよい。
【００２４】
その他の実施形態
前記各実施形態では、筒状本体１には合成樹脂成形品を用いたが、金属パイプや竹、木材や厚紙等で製造されたパイプを使用することができる。また、筒状本体１は前記各実施形態で示したように円筒状に形成される必要はなく、角筒状や楕円筒状であっても実施することができる。
ベース板１０は筒状本体１の高さに対してより広い面積を有するのが直立安定性のために好ましいが、ベース板１０の面積が広い場合には、例えば図１のベース板１０を同図の点線による分割線１０ｂの部分に沿って二分割し、二分割状態で収納や持ち運びができるように構成することができる。
【００２５】
筒状本体１は前記のように二つ割状の半体１ａ，１ｂを筒状に合体させる構造ではなく、筒状に一体になっている形態のものでも実施することができる。
孔又はスリット１２は、筒状本体１のサイズその他の条件により前記実施形態のものよりも周方向においてその数を増加することができる。
【図面の簡単な説明】
【００２６】
【図１】本発明に係る犬の小便用ペットシート保持ポールの第１実施形態を示す分解斜視図である。
【図２】ペットシートの一形態を示す図で、（ａ）図は第１のペットシートの斜視図、図２の（ｂ）図は第２のペットシートの斜視図である。
【図３】図１の保持ポールを使用した犬の小便用器具の一実施形態を示す部分破断縦断面図である。
【図４】保持ポールの他の実施形態を示す部分分解斜視図である。
【図５】本発明に係るペットシート保持ポールへ付属させるためのカッター定規の一実施形態を示す斜視図である。
【符号の説明】
【００２７】
ｐ  ペットシート保持ポール
１  筒状本体
１ａ，１ｂ  半体
１０  ベース板
１０ａ  直立ガイド
１１  キャップ
１１ａ  嵌合ガイド
１２  孔又はスリット
１３  締付け手段
１５  凹部
１６  凸部
２  第１のペットシート
２０  孔
２０ａ  切断線
２０ｂ  紙片
３  第２のペットシート
３０  粘着層
２ａ  使用済みペットシート
４  カッター定規
４０  板
４１  スリット
４２  環状の線
【図１】
2007312713.tif 000003
【図２】
2007312713.tif 000004
【図３】
2007312713.tif 000005
【図４】
2007312713.tif 000006
【図５】
2007312713.tif 000007